(57)【要約】【課題】  排紙トレイに収納される印刷物の機密性を向上することの出来る排紙トレイを提供する。【解決手段】  外部装置からの排紙を収納する排紙トレイにおいて、前記排紙トレイは、外部装置に取り付け、取り外し可能とする、脱着手段と、任意の識別情報を保持する、識別情報保持手段と、識別情報を読み出し可能とする、読み出し手段と、識別情報に合致する排紙のみを収納する、収納手段と、を備え、外部装置に取り付けられた排紙トレイは、外部装置によって排紙トレイが持つ識別情報を読み出され、外部装置は読み出された排紙トレイの識別情報に合致するもののみ排紙を行い、排紙トレイはその識別情報に合致する排紙のみ収納することを特徴とする。【選択図】        図１
2006219242.tif 000002
【特許請求の範囲】
【請求項１】
外部装置からの排紙を収納する排紙トレイにおいて、
前記排紙トレイは、
外部装置に取り付け、取り外し可能とする、脱着手段と、
任意の識別情報を保持する、識別情報保持手段と、
識別情報を読み出し可能とする、読み出し手段と、
識別情報に合致する排紙のみを収納する、収納手段と、
を備え、
外部装置に取り付けられた排紙トレイは、外部装置によって排紙トレイが持つ識別情報を読み出され、外部装置は読み出された排紙トレイの識別情報に合致するもののみ排紙を行い、排紙トレイはその識別情報に合致する排紙のみ収納することを特徴とする排紙トレイ。
【請求項２】
前記排紙トレイは、
第一の施錠手段と、
第二の施錠手段と、
を備え、
外部装置に取り付けられる排紙トレイは、外部装置による排紙が完了するまでの間、第一の施錠手段を用いて、外部装置にロックされ、また外部装置の排紙が完了した時点で、外部装置からのロックが解除され、第二の施錠手段を用いて、取り付けられている排紙トレイ、もしくは取り外されている排紙トレイの中身の取り出し口がロックされ、排紙トレイの管理者以外、排紙トレイの中身を取り出すことができなくなることを特徴とする排紙トレイ。
【発明の詳細な説明】
【技術分野】
【０００１】
本発明は、記録紙を収納する排紙トレイに関し、特に持ち運び可能な個人用の排紙トレイに関するものである。
【背景技術】
【０００２】
近年、コンピュータ・オフィス環境では複数のホストコンピュータがネットワークを介して接続されており、同一ネットワーク上に接続したプリンタや、多機能型複写機等を、複数のホストコンピュータによって共用することが可能である。しかし、このような画像形成システムでは１台の画像形成装置をネットワーク上の多くのユーザが共用して使用することができることから、あるユーザが機密保持の必要な文書等を画像形成装置から出力した場合に、画像出力したユーザ以外が機密文書を画像形成装置から取り出してみることが可能であり、機密保持上問題があった。
【０００３】
このような問題を解決するため、従来、例えば特許文献１ではユーザＩＤによって制御する施錠付き排紙トレイを備えたものが提案されている。これは、ホストコンピュータからの命令によって制御される複数の収納段を有するメイルボックスを備えた画像形成システムにおいて、機密を保持した状態で用紙を出力させたい時に、まず、使用者がＩＤコード（登録者コード）をホストコンピュータから入力して、メイルボックスの収納段の使用を予約している。従って、ＩＤコードが入力されると制御手段はＩＤコードを入力した使用者が使用する収納段を設定し、その収納段に対して施錠手段を駆動して施錠し、当該使用者のみを使用可能にし、当該収納段に対する占有使用権を設定するものであった。
【特許文献１】特開平８−２７９１号広報
【発明の開示】
【発明が解決しようとする課題】
【０００４】
しかしながら、このように予め備え付けられている排紙トレイを占有してしまうと、占有されている間は、その排紙トレイを利用できなくなってしまうという問題がある。例えば、ユーザによっては既に印刷が終わっていても占有を解除しない、もしくは印刷をするために予め占有しておき、その間、実際には印刷されず、他のユーザが利用できなくなってしまうことが考えられる。
【０００５】
そこで、本発明では、上記課題を解決し、機密性の高い印刷物の収納を実現するために、排紙トレイは個人用の取り外し可能な、例えばボックス形状のものとし、かつ、この排紙トレイボックス自体に任意の識別情報が保持され、排紙トレイボックスを印刷装置へ装着した際に、速やかに印刷装置によって排紙トレイボックスの識別情報が読み出され、この個人用の排紙トレイボックスの識別情報に合致する印刷物のみを印刷装置が排紙を行い、その排紙されたものを収納することが可能となる排紙トレイボックスとする。また、排紙トレイボックスには第一の鍵と、第二の鍵を設け、第一の鍵は印刷装置と排紙トレイボックスとの装着のロックに使用し、第二の鍵は排紙トレイボックスの中身を守るために使用する。第一の鍵は印刷装置に排紙トレイが装着された際に、装着をロックするために使用し、印刷装置からの排紙が完了するまでの間はロックされ、排紙が完了した時点でロックが解除される機構とする。この機構を設けることにより、排紙が完了するまでの間は排紙トレイボックスは他人に取り外されることがなくなり、また排紙が完了した際には、排紙トレイボックスの所有者が印刷装置から取り外さなくとも、他のユーザが取り外しすることができるため、印刷装置の占有を回避することができる。また、第二の鍵によって、収納が完了し、印刷装置から取り外し可能な状態、もしくは既に取り外されている状態の、排紙トレイボックスに収納されている記録紙の内容を他人から守ることが可能となる。
【０００６】
以上、上述した排紙トレイボックスを提案することで機密性の高い印刷物の収納を実現することが出来る排紙トレイを提供することを目的とする。
【課題を解決するための手段】
【０００７】
前記目的を達成するために、本発明は、外部装置からの排紙を収納する排紙トレイにおいて、外部装置に取り付け、取り外し可能とする、脱着手段と、任意の識別情報を保持する、識別情報保持手段と、識別情報を読み出し可能とする、読み出し手段と、識別情報に合致する排紙のみを収納する、収納手段と、を備え、外部装置に取り付けられた排紙トレイは、外部装置によって排紙トレイが持つ識別情報を読み出され、外部装置は読み出された排紙トレイの識別情報に合致するもののみ排紙を行い、排紙トレイはその識別情報に合致する排紙のみ収納することを特徴とする。
【０００８】
また、前記排紙トレイに第一の施錠手段と、第二の施錠手段と、を備えることで、外部装置に取り付けられる排紙トレイは、外部装置による排紙が完了するまでの間、第一の施錠手段を用いて、外部装置にロックされ、また外部装置の排紙が完了した時点で、外部装置からのロックが解除され、第二の施錠手段を用いて、取り付けられている、もしくは取り外されている排紙トレイの中身の取り出し口がロックされ、排紙トレイの管理者以外、排紙トレイの中身を取り出すことができなくなることを特徴とする。
【発明の効果】
【０００９】
この発明によれば、排紙トレイを個人用の取り外し可能なボックス形状にし、かつ第一の施錠機構を設けることで、印刷装置の排紙トレイを必要以上に占有してしまう問題を回避し、かつ排紙トレイを識別する情報を設け、第二の施錠機構を設けるとで、印刷装置に排紙トレイを取り付けた時にのみ排紙トレイの識別情報に合致する記録紙のみを収納することが可能となり、さらに施錠をはずす専用の鍵を使わない限り、収納した記録紙を取り出すことができないため、機密性の高い印刷物の収納が可能となる。
【発明を実施するための最良の形態】
【００１０】
以下、本発明の排紙トレイにおいて、排紙の収納を行う一実施例について図面を参照して説明する。
【実施例】
【００１１】
図１は、本発明が適用される排紙トレイと、排紙トレイが取り付けられる印刷装置との間の概略的なイメージを示したものであり、１０２−排紙トレイが、１０１−印刷装置に対して、取り外し可能であることを示している。
【００１２】
図２は、排紙トレイの構成と、排紙トレイと印刷装置との関係をより具体的に示したものであり、２０１−印刷装置に対し、２０２−排紙トレイを取り付けた時、２０１−印刷装置は２０２−排紙トレイに備わる２０３−ＥＥＰＲＯＭから排紙トレイに設定されている任意の識別情報を読み出し、その識別情報に合致する記録紙を排紙することが可能、もしくはその識別情報に合致する印刷データを記録してから排紙することが可能ならば、２０４−第一の施錠機構を用いて、２０２−排紙トレイを取り外しできないよう固定し、印刷装置は識別情報に合致する記録紙を、もしくは合致する印刷データがあれば記録した後の記録紙を２０５−排紙された記録紙に示すように、２０８−排紙収納口に対し排紙を行い、排紙が終了し、それ以上の排紙を行う必要がなくなる時には、２０４−第一の施錠機構を用いて２０２−排紙トレイの２０１−印刷装置に対する取り外しの固定を解除する。また、排紙トレイは２０６−施錠機構を備えているため、２０７−第二の施錠機構用の鍵を用いて２０９−収納用紙の取り出し口をロックすることが可能であり、予めロックしておくことで、この鍵を持っている者以外に、収納した記録紙を見られることはなくなる。
【図面の簡単な説明】
【００１３】
【図１】本発明の実施例に関わる概略図
【図２】本発明の実施例に関わる排紙トレイと、印刷装置との関係を示す概略図
【符号の説明】
【００１４】
１０１  印刷装置
１０２  排紙トレイ
２０１  印刷装置
２０２  排紙トレイ
２０３  ＥＥＰＲＯＭ
２０４  第一の施錠機構
２０５  排紙された記録紙
２０６  第二の施錠機構
２０７  第二の施錠機構用の鍵
２０８  排紙収納口
２０９  収納用紙の取り出し口
【図１】
2006219242.tif 000003
【図２】
2006219242.tif 000004